(57)【要約】      （修正有）【課題】電子機器、制御装置において、表示画面に表示される画像に合わせてタッチ領域を自動的に設定すること。【解決手段】表示システム（電子機器）１は表示装置１０、ホストＣＰＵ２０、メモリ３０を含む。表示システム１が備えるインセルＬＣＤドライバ１２は、ホストＣＰＵ２０から送信され、当該インセルＬＣＤドライバ１２に入力される表示用データに基づき、インセルＬＣＤパネル１１に対して画像データを表示させると共に、インセルＬＣＤパネル１１におけるユーザがタッチすべきタッチ領域を指定する。【選択図】図１
2020009070.tif 000002
【特許請求の範囲】
【請求項１】
少なくとも１つの表示装置と、少なくとも１つの制御装置とを備える電子機器であって、
上記表示装置を構成する表示パネルは、画面上の押下位置を検出するための複数のタッチ電極が平面的に配置されたインセル型タッチパネルを備え、
上記制御装置は、
当該制御装置に入力される情報に付加されたタッチ領域を指定するための情報に基づき、上記表示パネルにおけるユーザがタッチすべきタッチ領域を指定することを特徴とする電子機器。
【請求項２】
上記制御装置は、
指定したタッチ領域に含まれるタッチ電極から出力される信号のみを検出することを特徴とする請求項１に記載の電子機器。
【請求項３】
上記タッチ領域を指定するための情報は、タッチ領域を指定するためのフラグであり、
上記制御装置は、
上記表示パネルに表示する情報に付加された上記フラグに基づき、上記タッチ領域を指定することを特徴とする請求項２に記載の電子機器。
【請求項４】
上記タッチ領域を指定するための情報は、信号検出対象のタッチ電極を指定するためのフラグであり、
上記制御装置は、
上記表示パネルに表示する情報に付加された上記フラグに基づき、信号検出対象のタッチ電極を指定することを特徴とする請求項２に記載の電子機器。
【請求項５】
上記制御装置に入力される情報は、上記表示パネルに表示する画像データであることを特徴とする請求項１〜４の何れか１項に記載の電子機器。
【請求項６】
上記制御装置に入力される情報は、上記電子機器で実行するアプリケーションの起動データであることを特徴とする請求項１〜４の何れか１項に記載の電子機器。
【請求項７】
少なくとも１つの表示装置を備えた電子機器に備えられた制御装置であって、
上記表示装置を構成する表示パネルは、画面上の押下位置を検出するための複数のタッチ電極が平面的に配置されたインセル型タッチパネルを備え、
自装置に入力される情報に付加された、タッチ領域を指定するための情報に基づき、上記表示パネルにおけるユーザがタッチすべきタッチ領域を指定することを特徴とする制御装置。
【請求項８】
少なくとも１つの表示装置と、少なくとも１つの制御装置とを備える電子機器の制御方法であって、
上記表示装置を構成する表示パネルは、画面上の押下位置を検出するための複数のタッチ電極が平面的に配置されたインセル型タッチパネルを備え、
上記制御装置に、上記表示パネルにおけるユーザがタッチすべきタッチ領域を指定するための情報が付加された情報を入力する情報入力ステップと、
上記情報入力ステップにおいて入力された情報に付加された上記タッチ領域を指定するための情報に基づき、上記表示パネルにおけるユーザがタッチすべきタッチ領域を指定する領域指定ステップと、を含むことを特徴とする電子機器の制御方法。
【発明の詳細な説明】
【技術分野】
【０００１】
本発明は、インセル型タッチパネルを備えた電子機器に関する。
【背景技術】
【０００２】
表示装置を構成する表示パネル内に、画面上の押下位置を検出するための複数のタッチ電極が平面的に配置されたインセル型タッチパネルを備えた表示装置が提案されている（例えば特許文献１）。
【０００３】
特許文献１に開示されたタッチパネル入力装置では、画面の任意の領域のタッチ入力のみを受付け、その他の領域のタッチ入力を受付けないように、ユーザがタッチすべきタッチ領域を設定できるようになっている。
【先行技術文献】
【特許文献】
【０００４】
【特許文献１】特開２００５−２７６１２０号公報
【発明の概要】
【発明が解決しようとする課題】
【０００５】
ところで、通常、表示画面に表示される画像が変われば、ユーザがタッチすべきタッチ領域も変わる。このため、表示画面上のタッチ領域は、表示される画像毎に設定する必要がある。
【０００６】
しかしながら、特許文献１に開示されたタッチ入力装置では、タッチ領域の設定を、ユーザが表示画面上で行うため、表示画面に表示される画像が変われば、その都度ユーザによってタッチ領域を設定し直す必要があり、ユーザにとってタッチ領域の設定操作が非常に煩わしいものとなる。
【０００７】
本発明の一態様は、表示画面に表示される画像に合わせてタッチ領域を自動的に設定できる電子機器を提供することを目的とする。
【課題を解決するための手段】
【０００８】
上記の課題を解決するために、本発明の一態様に係る電子機器は、少なくとも１つの表示装置と、少なくとも１つの制御装置とを備える電子機器であって、上記表示装置を構成する表示パネルは、画面上の押下位置を検出するための複数のタッチ電極が平面的に配置されたインセル型タッチパネルを備え、上記制御装置は、当該制御装置に入力される情報に付加されたタッチ領域を指定するための情報に基づき、上記表示パネルにおけるユーザがタッチすべきタッチ領域を指定することを特徴としている。
【発明の効果】
【０００９】
本発明の一態様によれば、表示画面に表示される画像に合わせてタッチ領域を自動的に設定できるという効果を奏する。
【図面の簡単な説明】
【００１０】
【図１】本発明の実施形態１に係る電子機器を含むシステム全体を示すブロック図である。
【図２】図１に示す表示システム内のインセルＬＣＤドライバのブロック図である。
【図３】図１に示す表示システム内の端末装置の平面図である。
【図４】ホストＣＰＵからインセルＬＣＤドライバに転送される表示用データのデータ構造を示す図である。
【図５】ホストＣＰＵからインセルＬＣＤドライバに表示用データが転送されることをイメージした図である。
【図６】図４に示す表示用データを用いたタッチ領域設定処理の流れを示すフローチャートである。
【図７】インセルＬＣＤパネルのタッチ電極の配列を示す図である。
【図８】インセルＬＣＤパネルにおけるタッチ領域設定後の状態の一例を示す図である。
【図９】インセルＬＣＤパネルにおけるタッチ領域設定後の状態の他の例を示す図である。
【図１０】本発明の実施形態２に係る電子機器を含む表示システムで使用する表示用データのデータ構造を示す図である。
【図１１】図１０に示す表示用データがホストＣＰＵからインセルＬＣＤドライバに転送されることを説明する説明図である。
【図１２】図１０に示す表示用データを用いたタッチ領域の設定処理の流れを示すフローチャートである。
【発明を実施するための形態】
【００１１】
〔実施形態１〕
以下、本発明の一実施形態について、詳細に説明する。
【００１２】
＜表示システム＞
図１は、本実施形態１に係る表示システム（電子機器）１のブロック図を示す。なお、本実施形態では、表示システム１として図３に示すようなスマートフォン等のユーザが使用する端末装置を想定して説明する。
【００１３】
表示システム１は、図１に示すように、表示装置１０、ホストＣＰＵ２０、メモリ３０を含んでいる。
【００１４】
表示装置１０は、インセル型タッチパネルと液晶表示パネルとが一体化したインセルＬＣＤパネル（表示パネル）１１と、当該インセルＬＣＤパネル１１を駆動するインセルＬＣＤドライバ１２とを備えている。ここで、インセル型タッチパネルは、静電容量方式のタッチパネルとする。
【００１５】
インセルＬＣＤドライバ１２は、ホストＣＰＵ２０から送信される表示用データに基づき、インセルＬＣＤパネル１１に対して画像データを表示させると共に、ユーザがタッチすべきタッチ領域の設定を行うようになっている。また、インセルＬＣＤドライバ１２は、ホストＣＰＵ２０から送信されるタッチパネル制御信号に基づき、インセルＬＣＤパネル１１におけるタッチパネルの駆動制御をすると共に、インセルＬＣＤパネル１１からのタッチ検知信号をホストＣＰＵ２０に送信する。なお、インセルＬＣＤドライバ１２の詳細は後述する。
【００１６】
ホストＣＰＵ２０は、インセルＬＣＤドライバ１２に送信する表示用データを生成する表示制御部２１と、インセルＬＣＤドライバ１２に送信するタッチパネル制御信号を生成すると共に、インセルＬＣＤドライバ１２から送信されるタッチ検知信号に応じた処理を実行するタッチパネル制御部２２と、メモリ３０に記憶された各種の情報の管理を行うメモリ制御部２３とを備えている。
【００１７】
メモリ３０は、表示装置１０に表示させる画像あるいはアプリケーション等を記憶するものであり、例えばＳＤＲＡＭ（Synchronous Dynamic RAM）３１とｅＭＭＣ（Embedded Multi Media Card）３２等で構成されている。
【００１８】
＜インセルＬＣＤドライバ＞
ここで、インセルＬＣＤドライバ１２について図２を参照しながら詳細に説明する。
【００１９】
図２は、インセルＬＣＤドライバ１２の機能ブロック図である。インセルＬＣＤドライバ１２は、図２に示すように、ＣＰＵ１２０、メモリＩＦ１２１、タッチシステムＩＦ１２２、ディスプレイＩＦ１２３、データＲＡＭ１２５、プログラムＲＡＭ１２６、データ処理部１２７、ソースドライバ１２８、タッチＡＦＥ（Analog Front End）１２９を含んでいる。
【００２０】
メモリＩＦ１２１は、メモリ３０との間でデータの送受信を行うためのインターフェースである。
【００２１】
タッチシステムＩＦ１２２は、ホストＣＰＵ２０との間でデータの送受信を行うためのインターフェースである。
【００２２】
ディスプレイＩＦ１２３は、ホストＣＰＵ２０との間でデータの送受信を行うためのインターフェースである。
【００２３】
データＲＡＭ１２５は、データを一時的に記憶する記憶部であり、プログラムＲＡＭ１２６は、プログラムを一時的に記憶する記憶部である。
【００２４】
データ処理部１２７は、ディスプレイＩＦ１２３を介して送信される表示用データに含まれる、画像データを後段のソースドライバ１２８に送り、当該表示データに含まれるタッチ領域指定データをＣＰＵ１２０に送る。ここで、画像データは、インセルＬＣＤパネル１１に表示させる画像であり、タッチ領域指定データは、当該画像を表示させているインセルＬＣＤパネル１１におけるタッチ領域を指定するためのデータである。
【００２５】
ソースドライバ１２８は、データ処理部１２７から送信された画像データをインセルＬＣＤパネル１１に送る。
【００２６】
タッチＡＦＥ１２９は、インセルＬＣＤパネル１１からのタッチ検知信号を容量データとして受け取る。タッチＡＦＥ１２９は、受けとった容量データをＣＰＵ１２０による処理がし易い信号に調整する。
【００２７】
＜タッチ領域設定の概要＞
図７は、インセルＬＣＤパネル１１のタッチ電極１１ａの配列を示す図である。
【００２８】
図８は、インセルＬＣＤパネル１１における一部の領域のタッチ電極１１ａが有効になっていることを示す図である。
【００２９】
図９は、インセルＬＣＤパネル１１における全領域のタッチ電極が有効になっていることを示す図である。
【００３０】
本実施形態において、インセルＬＣＤパネル１１は、静電容量方式のタッチパネルであり、図７に示すように、タッチ電極１１ａがマトリクス状に配置された構造をしている。そして、インセルＬＣＤパネル１１に表示される画像データに付加されたフラグによって、図８に示すように、インセルＬＣＤパネル１１の表示画面が、タッチ領域１１ｂとそれ以外の領域（非タッチ領域）１１ｃとに分かれるか、あるいは図９に示すように、インセルＬＣＤパネル１１の表示画面の全面がタッチ領域１１ｂになるように、タッチ領域１１ｂの設定を行う。この設定には、下記の表示用データを用いる。
【００３１】
＜表示用データ＞
図４は、ホストＣＰＵ２０からインセルＬＣＤドライバ１２に送信される表示用データ１０１のデータ構造を示す図である。
【００３２】
図５は、ホストＣＰＵ２０からインセルＬＣＤドライバ１２に表示用データ１０１が転送されることをイメージした図である。
【００３３】
表示用データ１０１は、図４に示すように、インセルＬＣＤパネル１１に表示すべき画像の画像データ１０１ａに操作有効領域指定フラグ１０１ｂが付加されたデータ構造となっている。ここで、操作有効領域指定フラグ１０１ｂは、画像データ１０１ａによって画像が表示されたインセルＬＣＤパネル１１の表示画面におけるユーザがタッチすべき領域（タッチ領域）を指定するフラグである。
【００３４】
表示用データ１０１は、ホストＣＰＵ２０内で生成され、図５に示すように、ホストＣＰＵ２０からインセルＬＣＤドライバ１２に送信される。インセルＬＣＤドライバ１２では、受信した表示用データ１０１によってインセルＬＣＤパネル１１の表示画面におけるタッチ領域１１ｂを設定し、タッチ領域１１ｂ内のタッチ電極１１ａのみのスキャンを実行する。
【００３５】
タッチ電極１１ａのスキャンとは、当該タッチ電極１１ａを駆動状態にして得られる出力信号を検出することである。つまり、ユーザがタッチすることで変化する静電容量をタッチ電極１１ａにより検知して、当該タッチ電極１１ａが出力する信号を検出することである。従って、インセルＬＣＤドライバ１２は、指定したタッチ領域１１ｂに含まれるタッチ電極１１ａから出力される信号のみを検出することになる。
【００３６】
＜タッチ領域設定処理＞
図６は、図４に示す表示用データ１０１を用いたタッチ領域設定処理の流れを示すフローチャートである。
【００３７】
ここで、インセルＬＣＤパネル１１は、図７に示すように、タッチ電極１１ａがマトリクス状に配置さているものとする。
【００３８】
まず、インセルＬＣＤドライバ１２は、ホストＣＰＵ２０から画像データ１０１ａを受信する（ステップＳ１１：情報入力ステップ）。すなわち、インセルＬＣＤドライバ１２に、インセルＬＣＤパネル１１におけるユーザがタッチすべきタッチ領域１１ｂを指定するための情報が付加された情報が入力される。
【００３９】
次に、インセルＬＣＤドライバ１２は、領域指定フラグ有りか否かを判定する（ステップＳ１２）。ここでは、インセルＬＣＤドライバ１２は、受信した画像データ１０１ａに操作有効領域指定フラグ１０１ｂが付加されているか否かを判定する。
【００４０】
ステップＳ１２において、操作有効領域指定フラグ１０１ｂが有りと判定（Ｙｅｓ）すれば、フラグより領域パターンを選定する（ステップＳ１３：領域指定ステップ）。ここでは、インセルＬＣＤドライバ１２は、操作有効領域指定フラグ１０１ｂから予め設定した領域パターンを選定し、操作有効領域、すなわちタッチ領域１１ｂを指定する。すなわち、インセルＬＣＤドライバ１２は、インセルＬＣＤパネル１１に表示する情報としての画像データ１０１ａに付加された操作有効領域指定フラグ１０１ｂに基づき、タッチ領域１１ｂを指定する。
【００４１】
次に、タッチパネル有効電極を確定する（ステップＳ１４）。ここでは、インセルＬＣＤドライバ１２は、図７に示すように、マトリクス状に配置されたタッチ電極１１ａのうち、設定したタッチ領域に含まれているタッチ電極１１ａのみを有効とする。ここで、設定したタッチ領域がインセルＬＣＤパネル１１の下部の矩形領域であれば、図８の（ａ）に示すように、インセルＬＣＤパネル１１の下部矩形領域であるタッチ領域１１ｂに含まれるタッチ電極１１ａのみの駆動を有効にし、当該インセルＬＣＤパネル１１の上部矩形領域である非タッチ領域１１ｃに含まれるタッチ電極１１ａの駆動は有効にしない。ここで、駆動が有効なタッチ電極１１ａとは、スキャン対象のタッチ電極１１ａを意味する。従って、タッチ領域１１ｂに含まれるタッチ電極１１ａのみがタッチ検出時に駆動し、非タッチ領域１１ｃに含まれるタッチ電極１１ａはタッチ検出時に駆動しない。
【００４２】
最後に、有効電極のスキャンを実施する（ステップＳ１５）。ここでは、インセルＬＣＤドライバ１２は、図８の（ａ）に示すタッチ領域１１ｂに含まれる有効としたタッチ電極１１ａのみを駆動する。
【００４３】
一方、ステップＳ１２において、領域指定フラグ無しと判定されれば、ステップＳ１６に移行し、タッチパネル全電極を有効にする。つまり、タッチパネル全領域のスキャンを実施する。この場合、図９に示すように、インセルＬＣＤパネル１１の全面がタッチ領域１１ｂとなる。
【００４４】
＜効果＞
以上のように、上記構成の表示システム１では、インセルＬＣＤドライバ１２に入力される表示用データ１０１（画像データ１０１ａにタッチ領域を指定するための情報である操作有効領域指定フラグ１０１ｂを付加したデータ）に基づき、インセルＬＣＤパネル１１におけるユーザがタッチすべきタッチ領域１１ｂを指定している。これにより、インセルＬＣＤパネル１１のタッチ領域１１ｂは、インセルＬＣＤドライバ１２に表示用データ１０１が入力されるだけで自動的に設定されることになる。ユーザはタッチ領域１１ｂの設定操作を意識して行わずに済むという効果を奏する。
【００４５】
しかも、インセルＬＣＤパネル１１において設定されたタッチ領域１１ｂに含まれているタッチ電極１１ａのみの駆動が有効になっている。すなわち、インセルＬＣＤドライバ１２は、指定したタッチ領域１１ｂに含まれるタッチ電極１１ａから出力される信号のみを検出する。これにより、タッチ領域１１ｂ以外の領域をユーザがタッチしてもそのタッチは検知されることはない。つまり、ユーザの不用意なタッチ操作による誤動作を抑制することができる。
【００４６】
また、インセルＬＣＤパネル１１のタッチ領域１１ｂ以外の領域に含まれるタッチ電極１１ａの駆動は有効になっていないので、タッチスキャンを実行する際の消費電力を低減することができる。
【００４７】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００４８】
インセルＬＣＤドライバ１２による他のタッチ領域設定処理について説明する。
【００４９】
＜表示用データ＞
図１０は、ホストＣＰＵ２０からインセルＬＣＤドライバ１２に送信される表示用データ１０２のデータ構造を示す図である。
【００５０】
図１１は、ホストＣＰＵ２０からインセルＬＣＤドライバ１２に表示用データ１０２が転送されることをイメージした図である。
【００５１】
表示用データ１０２は、図１０に示すように、インセルＬＣＤパネル１１に表示すべき画像の画像データ１０２ａに操作有効電極指定フラグ１０２ｂが付加されたデータ構造となっている。ここで、操作有効電極指定フラグ１０２ｂは、画像データ１０２ａによって画像が表示されたインセルＬＣＤパネル１１の表示画面におけるユーザがタッチすべき領域（タッチ領域）に含まれるタッチ電極１１ａを直接指定するフラグである。すなわち、操作有効電極指定フラグ１０２ｂに対応付けられたタッチ電極１１ａが指定されることになる。
【００５２】
表示用データ１０２は、ホストＣＰＵ２０内で生成され、図１１に示すように、ホストＣＰＵ２０からインセルＬＣＤドライバ１２に送信される。インセルＬＣＤドライバ１２では、受信した表示用データ１０２によってインセルＬＣＤパネル１１の表示画面におけるタッチ領域１１ｂに含まれるタッチ電極１１ａを指定して、指定したタッチ電極１１ａのみのスキャンを実行する。
【００５３】
＜タッチ領域設定処理＞
図１２は、図１０に示す表示用データ１０２を用いたタッチ領域設定処理の流れを示すフローチャートである。
【００５４】
まず、インセルＬＣＤドライバ１２は、ホストＣＰＵ２０から表示用データ１０２を受信する（ステップＳ２１）と、有効指定フラグ有りか否かを判定する（ステップＳ２２）。ここでは、インセルＬＣＤドライバ１２は、表示用データ１０２に操作有効電極指定フラグ１０２ｂが付加されているか否かを判定する。
【００５５】
ステップＳ２２において、操作有効電極指定フラグ１０２ｂが有りと判定（Ｙｅｓ）すれば、フラグよりタッチパネル有効電極を確定する（ステップＳ２３）。ここでは、インセルＬＣＤドライバ１２は、操作有効電極指定フラグ１０２ｂからインセルＬＣＤパネル１１においてタッチ操作が有効となるタッチ電極１１ａ（信号検出対象のタッチ電極１１ａ）を直接指定する。すなわち、インセルＬＣＤドライバ１２は、インセルＬＣＤパネル１１に表示する情報である画像データ１０２ａに付加された操作有効電極指定フラグ１０２ｂに基づき、信号検出対象のタッチ電極１１ａを指定する。
【００５６】
最後に、有効電極のスキャンを実施する（ステップＳ２４）。ここでは、インセルＬＣＤドライバ１２は、直接指定したタッチ電極１１ａのみを駆動する。
【００５７】
一方、ステップＳ２２において、有効電極指定フラグ無しと判定されれば、ステップＳ２５に移行し、タッチパネル全電極を有効にする。つまり、タッチパネル全領域のスキャンを実施する。
【００５８】
＜効果＞
本実施形態では、前記実施形態１とほぼ同じ効果を奏するが、表示用データ１０２に含まれる操作有効電極指定フラグ１０２ｂを用いて、インセルＬＣＤパネル１１内のタッチ電極１１ａを操作有効電極として直接指定しているので、タッチ領域を事前に選定する必要がない。つまり、前記実施形態１における、図６に示すステップＳ１３の処理、すなわちフラグを用いて領域を選定する処理を省略することができる。
【００５９】
なお、前記実施形態１，２では、インセルＬＣＤパネル１１におけるタッチ領域１１ｂの形状を図８の（ａ）に示すように矩形状の例について説明したが、これに限定されるものではなく、円形状であってもよく、三角形状であってもよく、あるいは図８の（ｂ）に示すような連続していない複数の領域から構成されるなど、どのような形状であってもよい。また、設定されるタッチ領域１１ｂの数は、一つであってもよいし、複数であってもよい。
【００６０】
また、前記実施形態１，２では、操作有効領域指定フラグ１０１ｂ、操作有効電極指定フラグ１０２ｂを付加する対象となる情報、すなわちインセルＬＣＤドライバ１２に入力される情報を画像データとしたが、これに限定されるものでなく、他の情報であってもよい。例えば、表示システム１において実行するアプリケーションを起動時に使用する起動データであってもよい。
【００６１】
〔ソフトウェアによる実現例〕
表示装置１０の制御ブロック（特にインセルＬＣＤドライバ１２）は、集積回路（ＩＣチップ）等に形成された論理回路（ハードウェア）によって実現してもよいし、ソフトウェアによって実現してもよい。
【００６２】
後者の場合、表示装置１０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６３】
本発明の各態様に係るインセルＬＣＤドライバは、コンピュータによって実現してもよく、この場合には、コンピュータを上記インセルＬＣＤドライバが備える各部（ソフトウェア要素）として動作させることにより上記インセルＬＣＤドライバをコンピュータにて実現させる表示装置置の表示制御プログラム、およびそれを記録したコンピュータ読み取り可能な記録媒体も、本発明の範疇に入る。
【００６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６５】
１  表示システム（電子機器）
１０  表示装置
１１  インセルＬＣＤパネル（表示パネル）
１１ａ  タッチ電極
１１ｂ  タッチ領域
１１ｃ  非タッチ領域
１２  インセルＬＣＤドライバ（制御装置）
２０  ホストＣＰＵ
２１  表示制御部
２２  タッチパネル制御部
２３  メモリ制御部
３０  メモリ
３１  ＳＤＲＡＭ
３２  ｅＭＭＣ
１０１  表示用データ
１０１ａ  画像データ
１０１ｂ  操作有効領域指定フラグ
１０２  表示用データ
１０２ａ  画像データ
１０２ｂ  操作有効電極指定フラグ
１２０  ＣＰＵ
１２１  メモリＩＦ
１２２  タッチシステムＩＦ
１２３  ディスプレイＩＦ
１２５  データＲＡＭ
１２６  プログラムＲＡＭ
１２７  データ処理部
１２８  ソースドライバ
１２９  タッチＡＦＥ
【図１】
2020009070.tif 000003
【図２】
2020009070.tif 000004
【図３】
2020009070.tif 000005
【図４】
2020009070.tif 000006
【図５】
2020009070.tif 000007
【図６】
2020009070.tif 000008
【図７】
2020009070.tif 000009
【図８】
2020009070.tif 000010
【図９】
2020009070.tif 000011
【図１０】
2020009070.tif 000012
【図１１】
2020009070.tif 000013
【図１２】
2020009070.tif 000014